(57)【要約】【課題】テープの繰り出しや収容を安全で、かつ高速で行なえ、生産コストの安い巻尺を提供すること。【解決手段】金属製のテープの弾力を利用して繰り出し、制御子、制動子、及びコイルばねを巻いた支軸からなる制動部とケースの頭部に枢接され、その内壁面上に円弧状の歯面が形成された押し板お共同動作で繰り出されたテープを段階的に収容する。【選択図】図１Ａ
0003131093.tif 000002
【実用新案登録請求の範囲】
【請求項１】
改良された巻尺であって、
巻尺のケースと、制動部と、押し板とを含み、
前記巻尺のケースの内部には１つのホイルが設けられていて、その上に金属製のテープが巻かれ、
テープの尾端は前記ホイルに連結され、
前記ケースの片側の表面には伝動子、従動子、動力受け口、と復帰子が軸設され、
前記伝動子は、１段の行程内での移動が可能であり、前記従動子と前記動力受け口とは互いに噛合しており、且つ後者は前記ホイルと連動し、前記復帰子はその１端を前記ケースに固定され、
前記制動部は移動可能に前記ケースの底部のテープ出口の近傍に、テープの動きが制動できるように固定され、
前記押し板は押し部と枢接部とからなり、
前記枢接部内壁の頭部は１つの弧状歯面を形成していて、前記押し板を前記ケース上に枢接することにより、前記押し部は前記ケースの頂面に位置するようになり、
前記枢接部は前記ケースの両側に枢接し、前記枢接部の内壁面にある前記弧状歯面は前記伝動子と噛合し、
前記ケース側の外表面上における復帰子の他端は前記押し板に結合され、
繰り出されたテープを収納する場合、前記押し板を下に押せば、前記伝動子は押されて下に移行するとともに同時に回転し、
前記伝動子と前記従動子は噛合し、後者は駆動されて、前記動力受け口も同時に回転され、
前記ホイルは反転してテープを或るは長さだけ収納し、
前記押し板が釈放された場合には、前記復帰子の弾力でもとの位置に復帰し、前記伝動子と前記従動子との噛合は脱離することを特徴とする、
改良された巻尺。
【請求項２】
改良された巻尺であって、
巻尺のケースと、制動部と、押し板とを含み、
前記巻尺のケースの内部には１つのホイルが設けられていて、
その上に金属製のテープが巻かれ、テープの尾端は前記ホイルに連結され、
前記ケースの片側の表面には伝動子、従動子、動力受け口、と復帰子が軸設され、
前記伝動子は、１段の行程内での移動が可能であり、前記従動子と前記動力受け口とは互いに噛合しており、且つ後者は前記ホイルと連動し、前記復帰子はその１端を前記ケースに固定され、
前記制動部は互いは結合された制御子と制動子、及びコイルばねに取り巻かれた支軸からなり、
前記制動部は移動可能に前記ケースの底部のテープ出口の近傍に、前記制御子を前記ケースから露出した状態で設置し、前記制動子はテープの表面を押さえるように抵触し、前記支軸は前記制動子の後方に、前記ケース内に立設され、前記コイル・ばねは前記制御子の底端に抵触し、
前記押し板は押し部と枢接部とからなり、
前記枢接部内壁の頭部は１つの弧状歯面を形成していて、前記押し板を前記ケース上に枢接することにより、前記押し部は前記ケースの頂面に位置するようになり、
前記枢接部は前記ケースの両側に枢接し、そのため、前記枢接部の内壁面にある前記弧状歯面は前記伝動子と噛合し、
前記ケース側の外表面上における復帰子の他端は前記押し板に結合され、繰り出されたテープを収納する場合、前記押し板を下に押せば、前記伝動子は押されて下に移行するとともに、同時に回転し、前記伝動子と前記従動子は噛合し、
後者は駆動されて、前記動力受け口も同時に回転され、前記ホイルは反転してテープを或いは長さだけ収納し、
前記押し板が釈放された場合には、前記復帰子の弾力でもとの位置に復帰し、前記伝動子と前記従動子との噛合は脱離することを特徴とする、
改良された巻尺。
【請求項３】
前記ホイルの横面には数本の枢軸が立設されていて、前記ケースを貫通して露出し、前記伝動子、前記従動子、前記動力受け口、及び前記復帰子が軸設され、前記ケースの一外側面には導槽が形成されていて、前記伝動子を軸設した前記支軸の貫設に供し、前記伝動子は前記導槽内で、一定の行程を移動可能である、請求項１または請求項２に記載の、改良された巻尺。
【請求項４】
前記巻尺のケースの一外側面には数本の支軸が立設されていて、前記従動子と前記復帰子を軸設した、請求項１、または請求項２に記載の改良された巻尺。
【請求項５】
前記巻尺のケースに取り付けられた前記伝動子、前記従動子、及び前記動力受け口の上にはカバーをかぶせて、保護している、請求項１、または請求項２に記載の改良された巻尺。
【請求項６】
前記伝動子、前記従動子、及び前記動力受け口はすべて、歯車からなり、その中の従動子は歯数の異なる２個の歯車であり、小なる歯数の歯車は前記伝動子と、大なる歯数の歯車は前記動力受け口と、それぞれ噛合している請求項１、または請求項２に記載の改良された巻尺。
【請求項７】
改良された巻尺であって、
巻尺のケースと、制動部と、巻戻し装置を含み、
前記巻尺のケースの内部には１つのホイルが設けられていて、
その上には金属製のテープが巻かれ、
テープの尾端は前記ホイルに連結され、
前記テープを前記ホイル上に巻き込んで、ばねのような弾性を持たせて自力で前記ケースの底部に設けられた出口から繰り出せるようにし、
前記制動部は移動可能に前記ケースの底部のテープ出口の近傍に、テープの動きが制止されるように固定され、
前記巻き戻し装置は前記ホイルと結合され、前記ケースの外部に露出して、前記ホイルを駆動することを特徴とする、改良された巻尺。
【考案の詳細な説明】
【技術分野】
【０００１】
本考案は改良された巻尺の構造に関するもので、詳しく言えば片手で巻尺のテープの繰り出しや引き込みの操作ができる、改良された巻尺に関するものである。
【背景技術】
【０００２】
巻尺という測距器具は、その応用範囲がなかなか広く、室内の装飾や家具の配置、建築工事までに渡るものであり、日常生活に不可欠なものとなっている。
【０００３】
普通の巻尺は使用の際には手でテープをケースの外に引張り出し、使用が済んだ場合はケース内のコイルばねの力でテープをケース内に収容するものであるが、このような従来の巻尺にあってはつぎのような欠点が見受けられる。
【０００４】
（１）テープの繰り出しに当たり、往々にしてテープがひとりでにケース内に復帰してしまい不便である。
【０００５】
（２）コイルばねの弾力を利用してテープを収容する際、テープが高速で復帰するためにテープにより使用者が手を切る場合があるうえに、テープの端部がケースに激突して摩滅したり、テープが切断する原因となっている。
【０００６】
本考案は以上の点に鑑みて成されたもので、上記した従来の巻尺が内包する欠点を改善するために成されたものである。
【考案の開示】
【考案が解決しようとする課題】
【０００７】
本考案の目的の１つは、片手で巻尺のテープの繰り出しや収容ができ、高速で後退するテープのために手を怪我したり、ケースとの衝突のためにテープが損傷するといった現象を防止できる、改良された巻尺を提供することにある。
【０００８】
本考案のもうひとつの目的はばねの使用を制限して低コストの改良された巻尺を提供することにある。
【課題を解決するための手段】
【０００９】
上記の課題を解決するため、本考案による巻尺は、ケース、伝動子、従動子、押し板、制動部、動力受け口、及び復帰子を含み、ケース内にはほぼ工字形をなしたホイル上に、金属製のテープが巻かれていて、自身で弾力を提供する。
テープの尾端はホイルと結合されていて、テープがホイルから完全に脱離することを防止する。
ケースの底部にテープの出入口が開設されていている。
制動部はお互に結合した制御子と制動子、及びコイルばねを巻いた支軸から構成されている。
制動部はケース底面のテープ出入口の近傍に位置し、その制御子はケース外に露出しており、制動子はテープの表面に抵触している。
制御子はコイルばねの自由端部に連結され、制御子の後退により、制動子はテープの表面から離れ、テープは自身の弾力で繰り出せるのである。
制御子が釈放された場合、ばねの弾力で自動復帰する。
伝動子は移動可能の状態でケース一側面の上に結合し、従動子は伝動子と同側面に軸設されている。
動力受け口は従動子と噛合し、ホイルと連動する。
押し板はケースの頭部に枢接され、その内壁面上に円弧状の歯面を形成し、伝動子と噛合している。
復帰子の一端は固定端であり、他端は押し板に固定され、押し板を押し下げることにより、復帰子は弾力を生じ、押し板を釈放した時の復帰力となる。
押し板を押し下げたとき、弧状歯面は下方に１角度回動し、伝動子は駆動されて下に１行程移動し、噛合した従動件は駆動されて、動力受け口を１角度回動させ、そのためホイルは反転し、その上に巻かれたテープを一部回収するのである。
押し板が釈放されれば、コイルばねの弾力で復帰する。
このように絶えず押し板を操作してテープを巻尺のケース内に収容するのである。
【考案の効果】
【００１０】
本考案に係る巻尺は従来に比べて以下の優れた利点がある。
【００１１】
本考案に係る巻尺は、片手で巻尺のテープの繰り出しや収容ができ、高速で引き込むテープのため、手を怪我したり、ケースと衝突してテープが損傷することがない。
さらにばねの使用が少ないので、生産コストを低減できる。
また、特殊な機構の伝動子、従動子、及び動力受け口などの歯車の採用により、ホイルの回転トルクが増加して、テープの回収が容易になる。
【考案を実施するための最良の形態】
【００１２】
図１から図４までを参照して本考案に係る改良された巻尺は説明する。
本考案の巻尺はケース１と、伝動子４と、従動子５と、押し板８と、制動部３と、動力受け口６と、復帰子とを含む。
図１Ｂに示すように二つ割型のケース１の内腔には１つのほぼ工字形を呈するホイル１１が収容されている。
ホイル１１のドラム部には１つの位置決め片１１１が設けてあって、テープ２の尾端にある位置決め穴２１を位置決め片１１１に嵌め込んでテープ２が完全にホイル１１から脱離しないようにする。
金属製のテープ２はそれ自身でコイルばねと同様の弾力を有し、自動的にテープ２を繰り出す力を生じる。
【００１３】
ケース１の外には制動部１８がある。
図２に示すように、ホイル１１の一側面上には第一〜第四枢軸１２，１３，１４，１５が立設されている。
その中の第三枢軸１４はホイル１１の中央部に設けられている。
全ての各枢軸１２，１３，１４，１５はケース１の一側面から露出している。
第一枢軸１２は、ケース１の表面に開設された導槽１６を貫出して、槽内で移動できるようになっている。
また、第二と第四枢軸１３，１５もケース１の表面から伸出している。
ケース１の底部にはテープ出入口１７が開設されている。
【００１４】
図３に示すように、制動部３は互いに結合した制御子３１と制動子３２と、コイルばね３３が巻かれている支軸３４から構成されている。
制動部３は移動可能にケース１の底面のテープ出入口１７の近傍に位置する。
その制御子３１は、前傾した姿態でケース１から突出している。
制動子３２はテープ２の目盛りを記した尺面の上から圧触している。
支軸３４はケース１内の制動子３２の後方に固定されている。支軸３４上に巻かれたコイルばね３３の一端は、制御子３１の底部と連結している。
制動子３２としてはローラが好ましく、テープ２が回収される際の損傷を防止できる利点がある。
【００１５】
図２に示すように、伝動子４はケース１外で第一枢軸１２に軸設され、歯車を使用している。
【００１６】
図４に示すように従動子５はケース１外で第二枢軸１３に軸設され、同軸上に設けた大小２つの歯車よりなる。
【００１７】
動力受け口６はケース１外で第三枢軸１４に軸設され、ホイル１１と連動可能で、且つ、従動子５の大径歯車と噛合している。
【００１８】
カバー７はケース１から伝動子４、従動子５、及び動力受け口６を覆蓋し、これらの要素を保護して、各々がその軸設した支軸１２、１３，１４から、脱離するのを防ぐために機能する。
【００１９】
押し板８は押し部８１と、１つの円形枢接部８２を含む。
枢接部８２の内壁面の頭部には１つの円弧状歯面８２１が形成され、押し板８がケース１に枢接されたときその押し部８１はケース１の頂面に位置する。
枢接部８２はケース１の両側に枢接し、その内壁面の弧状歯面８２１は伝動子４と噛合する。
押し板８の押し部８１を下に押したとき、枢接部８２は同時に回動する。
押し板８はケース１上の制止部１８に阻止されてその押し下げ距離が一定範囲に制限される。
【００２０】
復帰子９はケース１外に立設された第四枢軸１５に軸設され、その一端はケース１上に固定され、他端は押し板８に結合されている。
【００２１】
伝動子４、従動子５、及び動力受け口６はすべて歯車からなる。
従動子５は噛合した２つの大小の歯数の異なる歯車であり、大歯車は動力受け口６と噛合している。
伝動子４と従動子５の数は、需要に応じて変更可能で、特に制限する必要はない。
【００２２】
図５を参照して巻尺の使用方法について説明する。
同図はテープ２の繰り出し操作状態を示すものである。
使用者は片手で巻尺のケース１を握り、コイルばね３３のバネ力に抗しながら指で制動部の制御子３１を後方に押す。
すると制御子３１はその制動子３２がテープ２の表面から引き離される。
この状態にすると、テープ２は自身の弾力で以ってケース１から繰り出す。
テープ２の繰り出しが適当な長さに達したときに、制御子３１を釈放すれば、コイルばね３３の復帰力により制御子３１が右方へ移動して制動子３２がテープ２の表面を押圧してテープ２の繰り出しが拘束される。
このような要領でテープ２は所望の長さに引き出せるのである。
【００２３】
図６Ａ，６Ｂ，６Ｃを基にテープ２を収容する操作方法について説明する。
使用者は片手でケース１を握り、押し板８の押し部８１を下に押せばその枢接部８２は、或る角度が回動して復帰子９に弾力を生じる。
伝動子４は押し板８の下行と共に下に移動し、従動子５と噛合する。
また伝動子４は押し板８の枢接部８２の回動に伴い、弧状歯面８２１に駆動されて回転し、従動子５と動力受け口６も一緒に回転し、ホイル１１を反転させる。
その結果、ホイル１１に巻かれたテープ２が巻き上げられる。
押し板８が釈放されれば復帰子９の弾力で復帰し、伝動子４と従動子５は引き離され、テープ２の勝手な滑り出しを防止できる。
このように押し板８を押す動作を繰返してテープ２をケース１内に収容する。
【００２４】
図７Ａ，Ｂを基に本考案に係る巻尺の第二実施例について説明する。
巻尺のケース１の内腔には１つのほぼ工字形を呈するホイル１１が収容されて、ホイル１１に設けた１つの位置決め片１１１に、テープ２の尾端にある位置決め穴２１が嵌り込んで、テープ２が完全にホイル１１から脱離しないようになっている。
金属製のテープ２は自身でコイルばねと同様な弾力を生じ、自動的にテープ２を繰り出す力を生じる。
また、ケース１の底部には１つのテープ出口１７が設けられている。
【００２５】
制動部３はテープ出口の近傍に移動可能に固定されていて、テープの動きを制止する機能は既述した通りである。
【００２６】
本例では、ホイル１１に巻き戻し装置１０を連結して設けたもので、巻き戻し装置１０によりホイル１１を駆動する。
【００２７】
そして、ケース１前側面上の制動部３がテープ２を釈放したとき、テープ２はコイル状の自身の弾力で出口１７から持続して繰り出し、或る程度の長さに達したとき、制動部３で制動すれば、テープ２の繰り出しは停止され、所望の長さのテープ２の繰り出しの目的が達せられる。
テープ２を収容する場合は、巻き戻し装置１０でホイル１１を反転させれば、テープ２はケース１内に収容されるのである。
また、巻き戻し装置１０は棒状の把手やつまみのようなものでよい。
【００２８】
以上の記載は本考案の実施可能な実施例の具体的説明であり、本考案はこれらの実施例の記載に制限されるものではなく、凡そ本考案の技術精神を逸脱せずになされた同等効果の実施、または変更は全て本考案に含まれるものである。
【図面の簡単な説明】
【００２９】
【図１Ａ】本考案による巻尺の概観図である。
【図１Ｂ】本考案による巻尺のテープを定置した概観図である。
【図２】本考案による巻尺の第１から第３の側面図である。
【図３】本考案による巻尺の第１から第３の側面図である。
【図４】本考案による巻尺の第１から第３の側面図である。
【図５】本考案による巻尺のテープ繰り出し要領を示す説明図である。
【図６Ａ】本考案による巻尺テープの収容要領を示す説明図である。
【図６Ｂ】本考案による巻尺テープの収容要領を示す説明図である。
【図６Ｃ】本考案による巻尺テープの収容要領を示す説明図である。
【図７Ａ】本考案による巻尺の第二実施例の概観図である。
【図７Ｂ】本考案による巻尺の第二実施例の概観図である。
【符号の説明】
【００３０】
１：巻尺のケース          １０：巻き戻し装置
１１：ホイル              １１１：位置決め片
１２，１３，１４，１５：第一、第二、第三、第四枢軸
１６：導槽                １７：テープの出口
２：テープ                ２１：位置決め穴
３：制動部                ３１：制御子
３２：制動子              ３３：コイルばね
３４：支軸                ４：伝動子
５：従動子                ６：動力受け口
７：カバー                ８：押し板
８１：押し部
【図１Ａ】
0003131093.tif 000003
【図１Ｂ】
0003131093.tif 000004
【図２】
0003131093.tif 000005
【図３】
0003131093.tif 000006
【図４】
0003131093.tif 000007
【図５】
0003131093.tif 000008
【図６Ａ】
0003131093.tif 000009
【図６Ｂ】
0003131093.tif 000010
【図６Ｃ】
0003131093.tif 000011
【図７Ａ】
0003131093.tif 000012
【図７Ｂ】
0003131093.tif 000013